(57)【要約】【課題】昇降機を構成する末端部品までの部品情報とこれらの組み立て情報を組み合わせて含む昇降機毎の詳細情報を昇降機の製造会社と保守会社のエクストラネット上で共用する昇降機の情報管理システムを提供する。【解決手段】昇降機の製造会社と保守会社のネットワーク２、３が接続したエクストラネット１に大容量記憶装置をデータベース４０とするサーバー４が接続され、データベースが、各昇降機毎に昇降機を構成する末端部品までの部品情報とこれらの組み立て情報とを組み合わせて上位から下位のものに従って階層化し上位の情報が含む下位の情報が分かるように構成され、上記部品情報と組み立て情報がそれぞれを特定する部品番号を含む昇降機毎詳細情報を格納し、入力された昇降機や部品や組み立てを特定する情報に従い昇降機毎詳細情報を検索し該当部分の情報を画面表示する昇降機毎詳細情報検索手段を備える。【選択図】図１
2005112510.tif 000002
【特許請求の範囲】
【請求項１】
昇降機の製造会社ネットワークと保守会社ネットワークとがエクストラネットで接続され、このエクストラネットに大容量記憶装置をデータベースとして使用したサーバーが接続された昇降機の情報管理システムであって、
上記データベースが、各昇降機毎に昇降機を構成する末端部品までの部品情報とこれらの組み立て情報とを組み合わせて上位のものから下位のものに従って階層化し上位の情報に含まれる下位の情報が分かるように構成し、上記部品情報および組み立て情報がそれぞれを特定する部品番号を含む昇降機毎詳細情報を格納し、
入力された昇降機またはこれに含まれる部品または組み立てを特定する情報に従って上記昇降機毎詳細情報を検索して該当部分の情報の画面を表示する昇降機毎詳細情報検索手段を備えたことを特徴とする昇降機の情報管理システム。
【請求項２】
上記データベースが、上記昇降機毎詳細情報とリンクされている各昇降機の顧客に関する顧客情報をさらに格納し、上記昇降機毎詳細情報検索手段が上記顧客情報の該当部分の情報を合わせて表示することを特徴とする請求項１に記載の昇降機の情報管理システム。
【請求項３】
上記データベースが、保守部品の存在する部品および過去に部品として使用されていて現在製造、備蓄されていない部品の代替えの部品のリストである保守部品情報と、保守会社での出庫された部品のリストである保守部品出庫情報と、をさらに格納し、
上記昇降機毎詳細情報の表示の際に上記昇降機毎詳細情報と上記保守部品情報又は保守部品出庫情報とをマッチングを行ってフィルタをかけ、保守部品情報又は保守部品出庫情報にあるものだけを表示する昇降機毎詳細情報フィルタ手段をさらに備えたことを特徴とする請求項１に記載の昇降機の情報管理システム。
【請求項４】
上記データベースが、保守部品の存在する部品および過去に部品として使用されていて現在製造、備蓄されていない部品の代替えの部品のリストである保守部品情報をさらに格納し、
上記昇降機毎詳細情報の上記各部品情報および組み立て情報が上記保守部品情報に基づいた保守部品および代替えの部品の有無を示す情報を含み、
上記昇降機毎詳細情報に基づいて上記保守部品または代替えの部品の情報の表示が要求された時に上記保守部品情報を参照して、該当部分を表示する保守部品特定手段をさらに備えたことを特徴とする請求項１に記載の昇降機の情報管理システム。
【請求項５】
上記データベースが、保守部品の存在する部品および過去に部品として使用されていて現在製造、備蓄されていない部品の代替品または上位互換品のリストである保守部品情報をさらに格納し、
過去に部品として使用されていて現在製造、備蓄されていない部品の部品番号が入力した場合に、上記保守部品情報に基づいて入力された部品番号が現在使用されていない表示を行う部品番号チェック手段をさらに備えたことを特徴とする請求項１に記載の昇降機の情報管理システム。
【請求項６】
上記部品番号チェック手段が代替品または上位互換品の情報も合わせて表示することを特徴とする請求項５に記載の昇降機の情報管理システム。
【請求項７】
上記昇降機毎詳細情報の表示画面に従って指定された所望の部品の部品番号と部品発注要求に基づき上記製造会社ネットワーク側に該部品の発注を行う要求部品発注手段をさらに備えたことを特徴とする請求項１に記載の昇降機の情報管理システム。
【請求項８】
上記製造会社ネットワークに上記各部品番号に対応する図面情報を蓄積したデータサーバが接続され、
上記昇降機毎詳細情報検索手段が、上記データサーバの図面情報に基づき上記昇降機毎詳細情報の表示画面に従って指定された部品番号の対応する図面情報を表示することを特徴とする請求項１に記載の昇降機の情報管理システム。
【請求項９】
上記図面情報に変数記号による寸法が含まれている部品情報および組み立て情報については上記昇降機毎詳細情報が上記変数記号に対する該部品情報および組み立て情報の実際の寸法の情報を含み、
上記図面情報表示の際に上記変数記号の上記昇降機毎詳細情報に含まれる実際の寸法を合わせて表示する第１の図面付加情報提供手段をさらに備えたことを特徴とする請求項８に記載の昇降機の情報管理システム。
【請求項１０】
上記図面情報を蓄積したデータサーバが製造会社の基幹業務システムと共用しているもので基幹業務において構築された図面情報に関する図面関連情報も含み、
上記図面情報表示の際に上記基幹業務において構築された図面情報に関する図面関連情報を合わせて表示する第２の図面付加情報提供手段をさらに備えたことを特徴とする請求項８に記載の昇降機の情報管理システム。
【請求項１１】
昇降機の故障原因となった部品の入力された部品番号をキーワードとして上記昇降機毎詳細情報を検索調査し該部品を使用している昇降機を特定して表示する調査物件特定手段をさらに備えたことを特徴とする請求項１に記載の昇降機の情報管理システム。
【請求項１２】
上記データベースが、保守部品の存在する部品および過去に部品として使用されていて現在製造、備蓄されていない部品の代替品または上位互換品のリストである保守部品情報と、保守会社での出庫された部品のリストである保守部品出庫情報と、をさらに格納し、
上記保守部品情報に上記保守部品出庫情報をマッチングさせて保守実績を考慮した保守部品資料を作成する保守部品資料作成手段をさらに備えたことを特徴とする請求項１に記載の昇降機の情報管理システム。
【発明の詳細な説明】
【技術分野】
【０００１】
この発明は昇降機の情報管理システムに関する。
【背景技術】
【０００２】
従来、昇降機等の設備機器を構成する種々の部品の在庫管理を行う設備機器の部品管理装置として、複数のクライアントから送信される部品毎の交換、入庫および出庫等の部品履歴情報を記憶する履歴情報記憶部と、部品毎の部品履歴情報に基づいて発注・配備・配送の計画手配を行なう部品手配手段と、部品毎に保管場所とその期間、稼働設備機器とその期間および交換回数等の部品環境の良否を判定する部品トータル管理処理部と、交換した部品の個数、交換後の部品を再製した再製部品の在庫数および使用頻度に基づいて再製部品の必要個数を予測する特性化計画処理部と、を備えた構成にし、緊急に部品を必要とする場合に対応できるとともに保全作業の実施スケジュールに合わせて配送でき、また、顧客の要望に応じて品質ランクに見合った再製部品も提供するものがある(例えば特許文献１参照)。
【０００３】
【特許文献１】特開２０００−３０６０２１号公報
【発明の開示】
【発明が解決しようとする課題】
【０００４】
設備機器のうち特に昇降機は１台が２〜８万点という非常に多くの部品から構成され、また使用開始後も保守作業等により部品の交換がある。さらにこのような情報は保守契約が継続されている間、長年に渡り確保しさらに更新しておかなければならない。従って全ての顧客のそれぞれの昇降機に関し、昇降機を構成する末端部品(最小単位の部品)までの情報を更新データも含めて電子データとして蓄積管理し、例えば設計・製造会社と据付・保守会社との間で共用しようとしてもサーバーのデータベースの容量が足りず、実現は不可能であった。
【０００５】
この発明では、近年、普及しつつあるテラバイト級の大容量記憶装置をデータベースとして使用し、扱う全ての昇降機に関して、昇降機を構成する末端部品までの部品情報とこれらの組み立て情報を組み合わせて含む昇降機毎の詳細情報を各顧客(ユーザー)の昇降機１台１台毎に記憶し管理を行うサーバーをエクストラネット内に設け、設計・製造会社と据付・保守会社とで昇降機の詳細情報を共用し高速検索できるようにした昇降機の情報管理システムを提供することを目的とする。
【課題を解決するための手段】
【０００６】
この発明は、昇降機の製造会社ネットワークと保守会社ネットワークとがエクストラネットで接続され、このエクストラネットに大容量記憶装置をデータベースとして使用したサーバーが接続された昇降機の情報管理システムであって、上記データベースが、各昇降機毎に昇降機を構成する末端部品までの部品情報とこれらの組み立て情報とを組み合わせて上位のものから下位のものに従って階層化し上位の情報に含まれる下位の情報が分かるように構成し、上記部品情報および組み立て情報がそれぞれを特定する部品番号を含む昇降機毎詳細情報を格納し、入力された昇降機またはこれに含まれる部品または組み立てを特定する情報に従って上記昇降機毎詳細情報を検索して該当部分の情報の画面を表示する昇降機毎詳細情報検索手段を備えたことを特徴とする昇降機の情報管理システムにある。
【発明の効果】
【０００７】
昇降機毎の詳細情報の階層構造をたどることにより、所望の部品の図面番号(部品番号)等の詳細情報を体系的に知り、これにより必要な部品等を特定することができる。
【発明を実施するための最良の形態】
【０００８】
実施の形態１．
図１はこの発明の一実施の形態による昇降機の情報管理システムの全体の構成を示す図である。図１に示すように昇降機の設計・製造会社と関連する据付・保守会社間では、設計・製造会社ネットワーク２と据付・保守会社ネットワーク３とがエクストラネット１で接続されており、このエクストラネット１にはテラバイト級のメモリ装置をデータベース４０として使用したサーバー４が接続されている。このデータベース４０には、扱う全ての昇降機に関して、昇降機を構成する末端部品までの部品情報とこれらの組み立て情報を組み合わせて含む昇降機毎の詳細情報が各顧客(ユーザー)の昇降機１台１台毎に蓄積されており、サーバー４により蓄積管理されている。そして設計・製造会社(以下製造会社)と据付・保守会社(以下保守会社)でこれらの情報を共用する。また製造会社ネットワーク２および保守会社ネットワーク３にはそれぞれファイアーウォール５ａ、５ｂが設けられ、機密情報にはセキュリティが掛けられている。
【０００９】
データベース４０内には、顧客情報４１、昇降機毎詳細情報４２、保守部品情報４３および保守部品出庫情報４４が格納されている。各情報について説明すると、顧客情報４１は各昇降機のオーナーである顧客の情報であり、例えば図２に示すように昇降機の設置されている建物番号、号機番号、製造会社オーダー番号(昇降機番号)、建物名称、契約形式、保守会社担当部門、顧客氏名、顧客連絡先等を含む。
【００１０】
昇降機毎詳細情報４２は図２の昇降機を特定する建物番号、号機番号に基づいて各昇降機毎に昇降機を構成する末端部品までの部品情報とこれらの組み立て情報とを組み合わせて上位のものから下位のものに従って階層化しかつ上位の情報に含まれる下位の情報が分かるようにツリー状に構成した情報である。図３、図４にはその一例を示す。図３は図１の昇降機毎詳細情報４２の上位情報４２１、図４は下位情報４２２を示す。図３の上位情報の建物番号、号機番号(製造会社オーダー番号(昇降機番号)等でもよい)は昇降機を特定すると共に顧客情報４１とリンクさせる情報、品目番号は、例えば巻上機、乗り場、制御盤等、昇降機を一番大きい単位で分けた品目を番号で示したもので、ここでは例えば品目番号１０１は巻上機を示す。そして上位情報はさらに該品目の名称や特徴(薄型、枠無し)を示す品名、図面番号(部品番号)、そして後述する変数記号等の付加情報を含む。
【００１１】
図４の下位情報は、上記品目番号１０１の巻上機を構成する末端部品までの部品情報とこれらの組み立て情報を組み合わせて上位から下位までレベル(レベル深さ：０レベル、１レベル、・・・ｎレベル)を付けて階層化しかつ上位の情報に含まれる下位の情報が分かるようにツリー状に構成したものである。すなわち図４の０レベルの下の１レベルのものが上記０レベルのものに含まれる下位の情報で、１レベルの下の２レベルのものが上記１レベルのものに含まれる下位の情報である。そして例えばデータの３〜７、９行は部品情報、１、２、８行がその組み立て情報(一般的に上位)である。図４の下位情報の項目には、レベル深さ・図面番号(部品番号)、品名、数量、取替履歴、下位レベル(情報)、保守部品(有無)、代替品(有無)、材料、規格、寸法等がある。これにより昇降機毎詳細情報４２では建物番号、号機番号に基づいて特定される各昇降機の情報がそれぞれにツリー状に構成されて蓄積されている。
【００１２】
図１の保守部品情報４３は、例えば図５に示すように保守部品の存在する部品(保守が特に必要な消耗品等)および過去に部品として使用されていて現在製造、備蓄されていない部品の代替えの部品(代替品、上位互換品)のリストであり、該部品の部品番号(図面番号)、保守部品か代替えの部品か、また代替えの部品の場合には代替品か又は上位互換品かの情報、および保守部品としての該当する代替品又は上位互換品の部品番号(図面番号)、該保守部品の適用期間および備考(NOTE)からなるリストである。現在製造あるいは備蓄されている保守部品の場合には代替品又は上位互換品の欄およびその右側の部品番号の欄は空欄となる。
【００１３】
図１の保守部品出庫情報４４は、例えば図６に示すように保守会社での出庫された部品の部品番号(図面番号)およびその入庫年月日、出庫年月日からなる保守履歴となるリストである。
【００１４】
図１の顧客情報４１、昇降機毎詳細情報４２、保守部品情報４３および保守部品出庫情報４４のそれぞれの情報の追加、改訂については大福帳方式を採り、それぞれの追加、改訂情報が例えば毎月、製造会社および保守会社からエクストラネット１を介してサーバー４に送られデータベース４０(大福帳型データベース)に追加・改訂情報４１ａ、４２ａ、４３ａ、４４ａとしてそれぞれ蓄積される。この大福帳型データベースの採用により、大容量のデータのバックアップも年代別に１回のバックアップをとれば済み、短時間でバックアップ可能となる。
【００１５】
なおここでは部品番号と図面番号を同一のものとして説明しているが部品番号として図面番号と別のもの(対応付のテーブルを設ける等して図面番号との対応がつくもの)をそれぞれに設けてもよい。また昇降機毎詳細情報は必ずしも上位情報と下位情報に分けられている必要はない。さらに昇降機を特定する番号は昇降機毎に付けられた昇降機番号等であってもよい。
【００１６】
また、図７にはこの発明による昇降機の情報管理システムの機能ブロック図を示す。
【００１７】
次に動作について説明する。まず図７の昇降機毎詳細情報検索手段１００１に関し、エクストラネット１を介して製造会社ネットワーク２あるいは保守会社ネットワーク３の端末(特に図示製図)において、例えばキーワード検索で昇降機を特定する建物番号および号機番号、または昇降機番号を入力すると、図１の顧客情報４１および昇降機毎詳細情報４２に基づき図８に示すような該当する昇降機の詳細情報画面が表示される。画面には昇降機毎詳細情報４２に基づき、該当昇降機の品目番号毎にこれらを構成する末端部品までの部品情報とこれらの組み立て情報を組み合わせた詳細情報が階層化されかつ上位の情報に含まれる下位の情報が分かるようにツリー状に表示(ある情報の下に関連する下位の情報を連ねかつレベルに従って段階的にオフセットして表示)されて示される。各詳細情報はレベル深さ・図面番号(部品番号)、品名、数量、取替履歴、下位レベル(情報)、保守部品(有無)、代替品(代替品又は上位互換品の有無)等を含む。これにより昇降機毎の詳細情報のツリーをたどることにより、所望の部品の図面番号(部品番号)等の詳細情報を体系的に知り、必要な部品や部品取り替えの際の組み立てレベル(どのレベルの部品単位で取り替えるか等)を検討し特定することができる。また図面番号(部品番号)等の所望の部品、組み立てを特定する情報を入力することにより昇降機毎詳細情報４２を検索して該当部分の情報の画面が表示される。図８に示される詳細情報画面にはこれらの昇降機毎詳細情報４２と共に、建物番号、号機番号、製造会社オーダー番号(昇降機番号)、建物名称、契約形式、保守会社担当部門、顧客氏名、顧客連絡先等の顧客情報４１を一緒(例えば画面上部)に表示してもよい。
【００１８】
また図７の昇降機毎詳細情報フィルタ手段１００２に関し、上述のように昇降機は１台が２〜８万点という非常に多くの部品から構成されているため図８に示す詳細情報は膨大な量になる。そこで図８に示すようにアイコンＩ１でレベルを指定して検索したりアイコンＩ２にキーワードを入力してキーワード検索を行ってもよいが、図８の例えば”フィルタ”のアイコンＩ３をクリックすることにより、図１の昇降機毎詳細情報４２と保守部品情報４３(図５参照)又は保守部品出庫情報４４(図６参照)とマッチングを行ってフィルタをかけ、保守部品情報又は保守部品出庫情報にあるものだけを表示する。これにより保守部品や在庫部品に絞って部品特定が迅速に行える。
【００１９】
図８に示す昇降機の詳細情報画面において、レベル深さ・図面番号(部品番号)、品名、数量は基本的に固定の情報である。取替履歴は昇降機毎詳細情報４２の追加・改訂情報４２ａを参照して、これに該部品の取替履歴があれば”有”が表示され、”有”をクリックすれば追加・改訂情報４２ａの該当部分が表示される。下位レベルは昇降機毎詳細情報４２(図３、図４参照)を参照して下位レベル情報の”有””無”および”未展開”を表示する。そして図７の保守部品特定手段１００３に関し、保守部品、代替品は保守部品情報４３(図５参照)を参照して、保守部品の存在の”有””無”、代替品か又は上位互換品か、および備考(NOTE)に情報(データ)があるか否かに従ってそれぞれ対応の表示がされ、これらをクリックすれば保守部品情報４３の該当部分が表示される。そして過去に部品として使用されていて現在製造、備蓄されていない部品の場合に、代替品に”有”が表示されていればこれをクリックすれば保守部品情報４３の該当部分が表示され、代替えの部品(代替品又は上位互換品)の特定が容易に行える。
【００２０】
図７の部品番号チェック手段１００４に関し、過去に部品として使用されていて現在製造、備蓄されていない部品の部品番号を端末等から入力した場合に、保守部品情報４３に基づいて入力された部品番号が現在使用されていない表示を行う。これにより現在使用されていない部品の部品番号を入力してもすぐにこの誤りを認識できる。またさらに保守部品情報４３に基づいて該部品の代替品または上位互換品の情報(部品番号等)も合わせて表示してもよい。
【００２１】
図７の要求部品発注手段１００５に関し、特に保守会社ネットワーク３の端末(特に図示製図)において、図８に示す昇降機の詳細情報画面において、所望の部品の保守部品がない場合に、画面上の所望の部品の図面番号(部品番号)を指定(例えばクリック)すると共に”要求部品発注”のアイコンＩ４をクリックすることにより、エクストラネット１を介して製造会社ネットワーク２側の所定の端末に対して該部品の発注が行える。
【００２２】
図７の図面付加情報提供手段１００６に関し、レベル深さ・図面番号(部品番号)の図面番号(部品番号)をダブルクリックすると、製造会社ネットワーク２に接続されている図面情報を蓄積しているデータサーバ(特に図示せず)から図面番号(部品番号)をキーワードとして該当する図面情報が読み出され表示される。図面情報には他の部品と共用するものが多く、そのため寸法は図９に示すように例えば”ＬＬ”のように変数記号で示され、各部品の実際の寸法は昇降機毎詳細情報４２の上位情報に変数記号(付加情報)のデータとして記憶されている。そこでこのデータに基づいて図面情報の表示の際に図９に示すように下部の付加情報の欄にＬＬ＝１２００という形式で該部品の寸法が表示される。さらに図面情報は製造会社の基幹業務システムと共用しているため、基幹業務において構築された該図面情報に関する図面関連情報も図９に示す下部の付加情報の欄に表示することができる。なお、これらの図面情報は製造情報であるため(昇降機毎詳細情報等は単なる部品番号情報でありこれだけでは部品の製造はできない)、模造品の発生を避けるためにプロテクトをかけ、保守会社ネットワーク３側では見られないようにしてもよい。
【００２３】
図７の調査物件特定手段１００７に関し、上述のように昇降機毎詳細情報４２には各昇降機毎に昇降機を構成する末端部品までの部品情報とこれらの組み立て情報とを組み合わせてツリー状に構成した情報が構築されている。そこで例えばある昇降機に故障が発生した場合に、その原因となった部品と同じあるいは同系統の部品を部品番号をキーワードとして昇降機毎詳細情報４２を検索調査することで、該当する部品を使用している昇降機を特定表示することができる。これにより必要に応じて部品交換あるいは部品の改造等を検討し、事前防止策をとることができる。
【００２４】
図７の保守部品資料作成手段１００８に関し、図５に示す保守部品情報４３は保守実績に基づき変更していく必要がある。そこで保守部品情報４３に保守実績(保守履歴)となる保守部品出庫情報４４をマッチングさせて、例えば保守部品情報４３の保守部品を保守実績順に並べ替え、さらにそれぞれの出庫数等を表示させる。また保守部品出庫情報４４にあって保守部品情報４３にないものあるいはその逆のものはそれぞれ別枠で表示させる。このように作成された資料に基づき、保守実績に従った保守部品情報４３の改訂を検討することができる。
【図面の簡単な説明】
【００２５】
【図１】この発明の一実施の形態による昇降機の情報管理システムの全体の構成を示す図である。
【図２】この発明の顧客情報の一例を示す図である。
【図３】この発明の昇降機毎詳細情報の上位情報の一例を示す図である。
【図４】この発明の昇降機毎詳細情報の下位情報の一例を示す図である。
【図５】この発明の保守部品情報の一例を示す図である。
【図６】この発明の保守部品出庫情報の一例を示す図である。
【図７】この発明による昇降機の情報管理システムの機能ブロック図を示す。
【図８】この発明の昇降機の詳細情報等の画面の表示例を示す図である。
【図９】この発明の図面情報の画面の表示例を示す図である。
【符号の説明】
【００２６】
１  エクストラネット、２  設計・製造会社ネットワーク、３  据付・保守会社ネットワーク、４  サーバー、５ａ，５ｂ  ファイアーウォール、４０  データベース、４１  顧客情報、４２  昇降機毎詳細情報、４３  保守部品情報、４４  保守部品出庫情報、４１ａ，４２ａ，４３ａ，４４ａ  追加・改訂情報。
【図１】
2005112510.tif 000003
【図２】
2005112510.tif 000004
【図３】
2005112510.tif 000005
【図４】
2005112510.tif 000006
【図５】
2005112510.tif 000007
【図６】
2005112510.tif 000008
【図７】
2005112510.tif 000009
【図８】
2005112510.tif 000010
【図９】
2005112510.tif 000011